【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
スピーカユニットが、その振動板の前後から出る音が混合可能なように、第１の保持手段により保持されて、リスナの近傍であって当該リスナの頭部後方に配置される第１のスピーカと、
前記リスナの近傍において、前記第１のスピーカの左右に、第２の保持手段により保持されて配置される第２および第３のスピーカと、
入力音声信号から低域成分と、左および右チャンネル用の中高域成分とを分離して得る分離手段と、
前記分離手段で分離された低域成分を前記第１のスピーカに供給する手段と、
前記分離手段で分離された前記左および右チャンネル用の中高域成分を前記第２および第３のスピーカに供給する手段と、
を備える音響再生システム。
【請求項２】
請求項１に記載の音響再生システムにおいて、
前記入力音声信号は、左および右チャンネル用の入力音声信号であり、
前記分離手段は、前記左および右チャンネル用の入力音声信号から低域成分と、中高域成分とを分離すると共に、分離された前記左および右チャンネル用の低域成分を合成して前記第１のスピーカに供給する低域成分を得る
ことを特徴とする音響再生システム。
【請求項３】
請求項２に記載の音響再生システムにおいて、
前記左および右チャンネル用の入力音声信号は、少なくとも前記第２および第３のスピーカで音響再生したときに、リスナが前記第２および第３のスピーカとは異なる位置の他のスピーカ装置から音声が放音されたように聴取するように、頭部伝達関数を用いた仮想音源処理を施したものである
ことを特徴とする音響再生システム。
【請求項４】
請求項２に記載の音響再生システムにおいて、
マルチチャンネルサラウンド音声を音響再生するものであって、
前記入力音声信号は、前記マルチチャンネルサランド音声のうちの前方チャンネルの音声信号を前記第２および第３のスピーカで音響再生したときに、リスナがその前方に配置されたスピーカ装置から音声が放音されたように聴取するように、前記前方チャンネルの音声信号を仮想音源処理されたものである
ことを特徴とする音響再生システム。
【請求項５】
請求項２に記載の音響再生システムにおいて、
マルチチャンネルサラウンド音声を音響再生するものであって、
前記入力音声信号は、前記マルチチャンネルサランド音声のうちの後方チャンネルの音声信号を前記２個のスピーカで音響再生したときに、リスナがその後方に配置されたスピーカ装置から音声が放音されたように聴取するように、前記後方チャンネルの音声信号を仮想音源処理されたものである
ことを特徴とする音響再生システム。
【請求項６】
請求項２に記載の音響再生システムにおいて、
マルチチャンネルサラウンド音声を音響再生するものであって、
前記入力音声信号は、前記マルチチャンネルサランド音声のうちの前方チャンネルの音声信号を前記第２および第３のスピーカで音響再生したときに、リスナがその前方に配置されたスピーカ装置から音声が放音されたように聴取するように、前記前方チャンネルの音声信号を仮想音源処理されたものであると共に、前記マルチチャンネルサランド音声のうちの後方チャンネルの音声信号を前記２個のスピーカで音響再生したときに、リスナがその後方に配置されたスピーカ装置から音声が放音されたように聴取するように、前記後方チャンネルの音声信号を仮想音源処理されたものである
ことを特徴とする音響再生システム。
【請求項７】
請求項１に記載の音響再生システムにおいて、
前記第１のスピーカ、前記第２および第３のスピーカは、前記リスナが座る椅子の背もたれの上部に取り付けられる保持部により保持される
ことを特徴とする音響再生システム。
【請求項８】
請求項１に記載の音響再生システムにおいて、
前記第１のスピーカは、前記リスナが座る椅子の背もたれの上部に取り付けられる保持部により保持され、
前記第２および第３のスピーカは、前記リスナが座る椅子の背もたれの上部の左右に取り付けられる
ことを特徴とする音響再生システム。
【請求項９】
その振動板の前後から出る音が混合可能なように保持されて、リスナの頭部後方の近傍に配置される第１のスピーカユニットと、
前記リスナの近傍において、前記第１のスピーカユニットの左右に配置される第２および第３のスピーカユニットと、
を備え、
入力音声信号から分離された低域信号を前記第１のスピーカユニットに供給し、
前記入力音声信号から分離された左および右チャンネル用の中高域信号を、それぞれ前記第２および第３のスピーカユニットに供給する
ことを特徴とするスピーカ装置。
【手続補正２】
【補正対象書類名】明細書
【補正対象項目名】発明の名称
【補正方法】変更
【補正の内容】
【発明の名称】音響再生システムおよびスピーカ装置
【手続補正３】
【補正対象書類名】明細書
【補正対象項目名】０００１
【補正方法】変更
【補正の内容】
【０００１】
この発明は、音響再生システムおよびスピーカ装置に関する。
【手続補正４】
【補正対象書類名】明細書
【補正対象項目名】０００３
【補正方法】変更
【補正の内容】
【０００３】
５．１チャンネル方式の音響再生システムでは、リスナの前方（以下フロントという）、リスナの正面（以下センターという）、リスナの後方（以下リアという）、低域専用と、４種類のスピーカが必要で、低域専用のスピーカであるサブウーハは、本来、１００Ｈｚ以下の帯域をモノラルで受け持っている。その他のスピーカは、１００Ｈｚから２０ｋＨｚの帯域を受け持つ。
【手続補正５】
【補正対象書類名】明細書
【補正対象項目名】００２０
【補正方法】変更
【補正の内容】
【００２０】
上記の課題を解決するために、この発明による音響再生システムは、
スピーカユニットが、その振動板の前後から出る音が混合可能なように、第１の保持手段により保持されて、リスナの近傍であって当該リスナの頭部後方に配置される第１のスピーカと、
前記リスナの近傍において、前記第１のスピーカの左右に、第２の保持手段により保持されて配置される第２および第３のスピーカと、
入力音声信号から低域成分と、左および右チャンネル用の中高域成分とを分離して得る分離手段と、
前記分離手段で分離された低域成分を前記第１のスピーカに供給する手段と、
前記分離手段で分離された前記左および右チャンネル用の中高域成分を前記第２および第３のスピーカに供給する手段と、
を備えることを特徴とする。
【手続補正６】
【補正対象書類名】明細書
【補正対象項目名】００６６
【補正方法】変更
【補正の内容】
【００６６】
パイプ２２１は、扁平なリング状形状に構成されており、かつ、そのリング状部分が、図５に示すように、リスナ５の頭部の後方における設置状態において、リスナ５の右側方から見たとき、ほぼコ字状に構成されている。すなわち、この例の場合、パイプ２２１の、左右の端部のスピーカ７Ｌ，７Ｒの取り付け部は、スピーカ７Ｌ，７Ｒの振動板がリスナ５の左右の耳に対向するように、リスナ５の頭部側に若干折り曲げられた構造となっている。
【手続補正７】
【補正対象書類名】明細書
【補正対象項目名】００６８
【補正方法】変更
【補正の内容】
【００６８】
そして、このリング状パイプ２２１の、リスナ５が椅子２０に座ったときに、リスナ５の頭部中央後方となる位置に、スピーカ６がパイプ２２１に固定されて保持される。また、リング状パイプ２２１の、スピーカ６の左右両脇の位置に、スピーカ７Ｌ，７Ｒが、パイプ２２１に固定されて保持される。
【手続補正８】
【補正対象書類名】明細書
【補正対象項目名】００７９
【補正方法】変更
【補正の内容】
【００７９】
そして、この実施の形態では、テレビ受像機１からの音声信号Ａｕ１を受信するときには、テレビ受像機１のスピーカ１１ＦＬおよび１１ＦＲからは、テレビ受像機１で再生された音声信号が音響再生されるので、アンプ３０５および３０６は、ミューティング制御されて、音声信号出力装置部３からの音声信号が、テレビ受像機１のスピーカ１１ＦＬおよび１１ＦＲに供給されないように遮断される。
【手続補正９】
【補正対象書類名】明細書
【補正対象項目名】００８０
【補正方法】変更
【補正の内容】
【００８０】
一方、ＤＶＤプレーヤ２からの音声信号Ａｕ２を受信するときには、アンプ３０５および３０６は、ミューティング制御されず、音声信号出力装置部３からの音声信号が、テレビ受像機１のスピーカ１１ＦＬおよび１１ＦＲに供給される。
【手続補正１０】
【補正対象書類名】明細書
【補正対象項目名】００９６
【補正方法】変更
【補正の内容】
【００９６】
［音声信号受信分配部の構成例］
音声信号受信分配部４は、この実施形態では、図９に示すように構成されている。音声信号出力装置部３から無線送信されてくる信号は、無線受信部４１で受信され、多重デコード部４２に供給される。多重デコード部４２では、当該受信した信号に多重化されている音声信号がデ・マルチプレックス処理されて、２チャンネルの信号ＲＬ＊およびＲＲ＊がデコードされる。
【手続補正１１】
【補正対象書類名】明細書
【補正対象項目名】０１２５
【補正方法】変更
【補正の内容】
【０１２５】
音声信号受信分配部４では、前述した第１の実施形態で説明したようにして、受信した信号から２チャンネルの音声信号にデコードし、その２チャンネルの音声信号から、低域成分と、左右２チャンネルの中高域成分とを分離して、３個のスピーカ６１，７１Ｌ，７１Ｒおよび６２，７２Ｌ，７２Ｒのそれぞれに供給する信号を生成するようにする。
【手続補正１２】
【補正対象書類名】明細書
【補正対象項目名】０１４８
【補正方法】変更
【補正の内容】
【０１４８】
伝達関数について更に補足する。例えば図１５の左前方から左耳に来る伝達関数を伝達関数Ａとする。次に、耳の近傍にある、例えばスピーカ７１Ｌ，７１ＲからマイクロホンＭＬまでの伝達関数を測定し、得た伝達関数を伝達関数Ｂとする。さらに、伝達関数Ｂに、ある伝達関数Ｘを掛けると伝達関数Ａになる様な伝達関数Ｘを求め、近傍のスピーカ７１Ｌに送り込まれる信号音に、求めた伝達関数Ｘを畳み込めば、そのときにスピーカ７１Ｌから放音される音は、あたかも左前方２ｍから来たように感じる訳である。
【手続補正１３】
【補正対象書類名】明細書
【補正対象項目名】０１７１
【補正方法】変更
【補正の内容】
【０１７１】
なお、低域用のスピーカのスピーカユニットを、その振動板の前後から出る音が混合可能なように取り付ける方法としては、上述の実施形態のようなパイプに取り付ける構造に限られるものではなく、例えば、比較的大きな多数の孔が穿かれた板に、低域用のスピーカユニットを取り付け、それらの多数の孔を通じて、前記振動板の前後から出る音が混合可能なようにされる構成であってもよい。
【手続補正１４】
【補正対象書類名】図面
【補正対象項目名】図８
【補正方法】変更
【補正の内容】
【図８】
2008270857.tif 000001